(57)【特許請求の範囲】
【請求項１】
釣り竿に装着され、前記釣り竿の軸方向に沿った軸回りに釣り糸を巻き取るスピニングリールであって、
前記釣り竿に装着可能であり、ハンドルを有するリール本体と、
前記リール本体に回転自在に装着された円筒部と、前記円筒部の外周側に対向して形成された第１及び第２アーム部と、前記両アーム部の先端に糸開放姿勢と糸巻取姿勢とに揺動自在に装着されたベールアームとを有するロータと、
前記ハンドルの回転に連動して前記ロータを回転させるロータ駆動機構と、
前記ロータの前方に配置され外周に釣り糸が巻き付けられるスプールと、
前記ロータの糸繰り出し方向への逆転を禁止する逆転禁止状態と前記逆転を可能にする逆転可能状態とを取り得る逆転防止機構と、
前記逆転防止機構を前記逆転禁止状態と逆転可能状態とに切り換える切換手段と、
前記ベールアームの前記糸開放姿勢側への揺動に連動して前記逆転防止機構の前記逆転禁止状態を無効にして前記ロータの逆転を可能にする禁止無効手段と、を備えたスピニングリール。
【請求項２】
前記ロータ駆動機構は、前記ハンドルの回転に連動して回転するフェースギアと、前記フェースギアに噛み合うように前記リール本体に回転自在に支持され前記ロータに連結されるピニオンギアとを有し、
前記逆転防止機構は前記ピニオンギアとリール本体との間に配置され、前記逆転禁止状態にあるとき前記ピニオンギアの逆転を禁止する、請求項１に記載のスピニングリール。
【請求項３】
前記ロータは前記ピニオンギアに回転自在に支持され、
前記禁止無効手段は、
前記ピニオンギアに回転不能に装着され外周部に回転係止部を有する回転部材と、
前記第１及び第２アーム部の一方に設けられ、前記ベールアームが前記糸巻取姿勢にあるとき前記回転係止部に接触する接触位置に、前記糸開放姿勢にあるとき前記回転係止部から離脱した離脱位置に前記ベールアームに連動して移動する連動機構とを有し、
前記連動機構が前記接触位置に移動して前記回転係止部に接触すると前記回転部材の少なくとも糸巻取方向の回転に連動して前記ロータが回転する、請求項２に記載のスピニングリール。
【請求項４】
前記ベールアームは、前記第１及び第２アーム部先端にそれぞれ揺動自在に装着された第１及び第２ベール支持部材と、前記両ベール支持部材の間に設けられたベールとを有し、
前記連動機構は、前記第２ベール支持部材に連動して前記ベールアームが前記糸巻取姿勢となる第１位置と前記糸開放姿勢となる第２位置とを取り得るトグル機構とを有する、請求項３に記載のスピニングリール。
【請求項５】
前記トグル機構は、
前記第２ベール支持部材に連動して前記第１位置と第２位置とを取り得るように前記第２アーム部に配置された第１トグルばね機構と、
前記円筒部の後面に前記第１位置と第２位置とを取り得るように配置され、前記第１トグルばね機構を前記第１位置と第２位置とに保持するための第２トグルばね機構とを有し、
前記第２トグルばね機構の一部が前記回転部材の回転係止部に接触する、請求項４に記載のスピニングリール。
【請求項６】
前記第１トグルばね機構は、一端が前記第２ベール支持部材に係止され、他端が前記第２アーム部に沿って延びる第１部材と、前記第１部材の他端側が移動自在に案内されるとともに前記第２アーム部に前記一端側と他端側との間で揺動自在に取り付けられた第２部材と、前記第１部材と第２部材とを離反する方向に付勢する第１ばねとを有し、
前記第２トグルばね機構は、揺動する前記第２部材の他端を係止する揺動係止部と前記回転係止部に接触可能な接触部とを有し前記ロータ回転平面と平行な面内で揺動自在に前記円筒部の後面に取り付けられた接触部材と、一端が前記接触部材に係止された第３部材と、前記第３部材の他端側が移動自在に案内されるとともに前記円筒部の後面に揺動自在に取り付けられた第４部材と、前記第３部材と第４部材とを離反する方向に付勢する第２ばねとを有し、
前記接触部材の接触部は、前記第１及び第２トグルばね機構が第１位置に位置しているとき前記回転係止部に接触する、請求項５に記載のスピニングリール。
【請求項７】
前記ベールアームが糸開放姿勢にあるとき、前記ロータの回転に連動して前記ベールアームを前記糸巻取姿勢に復帰させるベール反転機構をさらに備える、請求項１から６のいずれかに記載のスピニングリール。
【請求項８】
前記ベールアームが糸開放姿勢に位置したとき、前記ロータを制動するロータ制動機構をさらに備える、請求項１から７のいずれかに記載のスピニングリール。
【請求項９】
前記逆転防止機構は、
前記ロータ駆動機構に回転不能に連結された内輪と前記リール本体に固定された外輪と前記内輪と外輪との間に両者に接触可能に配置された複数のローラとを有するローラ型のワンウェイクラッチと、
前記ワンウェイクラッチを作動状態と非作動状態とに切り換える切換部材とを有する、請求項１から８のいずれかに記載のスピニングリール。
【発明の詳細な説明】
【０００１】
【発明の属する技術分野】
本発明は、釣り用リール、特に、釣り竿に装着され釣り竿の軸回りに釣り糸を巻き取るスピニングリールに関する。
【０００２】
【従来の技術】
一般にスピニングリールは、リール本体と、リール本体に回転自在に支持されたロータと、外周に釣り糸が巻かれるスプールとを有している。ロータは、回転軸を挟むように対向して配置された第１及び第２アーム部と、両アーム部の先端に揺動自在に装着されたベールアームとを有している。
【０００３】
ベールアームは、第１及び第２アーム部にそれぞれ揺動自在に取り付けられた第１及び第２ベール支持部材と、第１ベール支持部材の先端に装着されたラインローラを含む釣り糸案内部と、釣り糸案内部と第２ベール支持部材の間に配置されたベールとを有している。このベールアームは、釣り糸を巻き取る際に釣り糸をスプール外周に導く糸巻取姿勢と、スプールから釣り糸を繰り出す際に邪魔にならないように糸巻取姿勢から倒された糸開放姿勢とをとり得る。
【０００４】
また、スピニングリールは、ロータの逆転（糸繰り出し方向の回転）を防止する逆転防止機構を有しており、逆転防止機構が作動するとロータは逆転禁止になる。この逆転防止機構を逆転禁止状態と逆転許可状態とに切り換える操作レバーは、通常、リール本体の後部やリール本体の下部に設けられている。
このようなスピニングリールでは、キャスティングを行って釣り糸を繰り出すときには、ロータの逆転を禁止した状態で釣り糸を人指し指の腹で引っ掛けた後ベールアームを糸開放姿勢に反転させる。このときには、釣り糸を引っ掛けやすいようにラインローラが釣り竿側になるようにハンドルではなく手でわずかにロータを回転させる。そして、釣り竿を振り下ろしその途中で釣り糸を人指し指から放して仕掛けが着水するのを待つ。仕掛けが着水した後、仕掛けが適当に沈んだところでハンドルを僅かに巻き取り方向に回転させ、ベールアームを糸巻取姿勢に戻す。
【０００５】
また、キャスティング後や船釣り時等に仕掛けの自重により釣り糸を繰り出すときには、ベールアームを糸開放姿勢に反転した後釣り竿を持つ手の人差し指の先端部でスプール先端を押さえて釣り糸に人差し指の腹を接触させ糸ふけを防止するサミングといわれる操作を行う。このときには、ベール支持部材が邪魔にならないような位置にロータを手で回転させる。
【０００６】
【発明が解決しようとする課題】
前記従来のスピニングリールでは、キャスティング時とサミング時とでベール支持部材の位置を変えようとする場合、順方向（糸巻取方向）にロータを手で直接回転させるか、又は逆転防止機構を操作レバーの操作により逆転許可状態にして逆方向（糸繰り出し方向）に手でロータを回転させている。したがって、キャスティング時とサミング時とでロータを逆方向に僅かに回転させればよい場合、ロータを順方向に回転させるとロータを大きく回転操作しなければならず手間がかかる。また、逆転防止機構を逆転許可状態に切り換えてロータを逆転させると、操作レバーがリール本体の後部又は下部に設けられているので、釣り竿を持つ手と別の手で操作レバーによる逆転防止機構の切り換え操作を行った後ロータの逆転操作を行わなければならず、２つの別々の操作が必要になり操作が面倒である。
【０００７】
本発明の課題は、サミング時やキャスティング時にロータを簡単に逆転できるようにすることにある。
【０００８】
【課題を解決するための手段】
発明１に係るスピニングリールは、釣り竿に装着され、釣り竿の軸方向に沿った軸回りに釣り糸を巻き取るリールであって、リール本体と、ロータと、ロータ駆動機構と、スプールと、逆転防止機構と、切換手段と、禁止無効手段とを備えている。リール本体は釣り竿に装着可能であり、ハンドルを有している。ロータは、リール本体に回転自在に装着された円筒部と、円筒部の外周側に対向して形成された第１及び第２アーム部と、両アーム部の先端に糸開放姿勢と糸巻取姿勢とに揺動自在に装着されたベールアームとを有している。ロータ駆動機構は、ハンドルの回転に連動してロータを回転させる機構である。スプールは、ロータの前方に配置され外周に釣り糸が巻き付けられるものである。逆転防止機構は、ロータの糸繰り出し方向への逆転を禁止する逆転禁止状態と逆転を可能にする逆転可能状態とを取り得る機構である。切換手段は、逆転防止機構を逆転禁止状態と逆転可能状態とに切り換える手段である。禁止無効手段は、ベールアームの糸開放姿勢側への揺動に連動して逆転防止機構の逆転禁止状態を無効にしてロータの逆転を可能にする手段である。
【０００９】
このスピニングリールでは、ハンドルを糸巻き取り方向に回転させるとロータがロータ駆動機構により回転し、ベールアームにより案内された釣り糸がスプールに巻き付けられる。逆転防止機構が逆転禁止状態になっているときには、ロータは糸巻取方向にしか回転できない。しかし、キャスティング時やサミング時にベールアームを糸開放姿勢にすると、逆転防止機構が逆転禁止状態になっているときでもベールアームの糸開放姿勢への移動に連動して逆転禁止状態が無効になり、ロータが糸巻取方向だけでなくそれと反対の方向に逆転可能になる。このため、ベールアームを糸開放姿勢にしてキャスティングやサミングを行うときにロータを簡単に逆転させることができる。
【００１０】
発明２に係るスピニングリールは、発明１に記載のリールにおいて、ロータ駆動機構は、ハンドルの回転に連動して回転するフェースギアと、フェースギアに噛み合うようにリール本体に回転自在に支持されロータに連結されるピニオンギアとを有している。逆転防止機構は、ピニオンギアとリール本体との間に配置され、逆転禁止状態にあるときピニオンギアの逆転を禁止する。この場合には、ハンドルが回転するとフェースギアが回転しそれに噛み合うピニオンギアが回転してロータが回転する。
【００１１】
発明３に係るスピニングリールは、発明２に記載のリールにおいて、ロータはピニオンギアに回転自在に支持され、禁止無効手段は、ピニオンギアに回転不能に装着され外周部に回転係止部を有する回転部材と、第１及び第２アーム部の一方に設けられベールアームが糸巻取姿勢にあるとき回転係止部に接触する接触位置に糸開放姿勢にあるとき回転係止部から離脱した離脱位置にベールアームに連動して移動する連動機構とを有し、連動機構が接触位置に移動して回転係止部に接触すると回転部材の少なくとも糸巻取方向の回転に連動してロータが回転する。この場合には、ベールアームを糸開放姿勢に揺動させると連動機構が離脱位置側に移動し、ロータがピニオンギアに対して回転自在になる。このため、逆転防止機構が逆転禁止状態にあってもロータの逆転が可能になる。一方、ベールアームが糸巻取姿勢にあるときには、連動機構が回転部材の回転係止部に接触する。このため、回転部材を介してロータが少なくとも糸巻取方向に回転可能になる。このとき、ロータを逆転方向に回転させようとしてもピニオンギアが逆転禁止状態にあるので、ロータの逆転は禁止される。ここでは、簡素な構成で連動機構をベールアームに連動させることができる。
【００１２】
発明４に係るスピニングリールは、発明３に記載のリールにおいて、ベールアームは、第１及び第２アーム部先端にそれぞれ揺動自在に装着された第１及び第２ベール支持部材と、両ベール支持部材の間に設けられたベールとを有し、連動機構は、第２ベール支持部材に連動してベールアームが糸巻取姿勢となる第１位置と糸開放姿勢となる第２位置とを取り得るトグル機構とを有する。この場合には、ベールアームを反転させてトグル機構が第２位置に配置されるとベールアームが糸開放姿勢に維持される。この第２位置においてトグル機構が回転部材の回転係止部から離脱しロータが逆転可能になる。逆にベールアームを元に戻してトグル機構が第１位置に配置されるとベールアームが糸巻き取り姿勢に維持される。そして、トグル機構が回転係止部に接触してロータが回転部材を介して回転可能になり、逆転禁止状態になる。ここでは、トグル機構によりベールアームが２つの姿勢に維持されので、ベールアームに連動する構成によりベールアームの姿勢維持も行える。
【００１３】
発明５に係るスピニングリールは、発明４に記載のリールにおいて、トグル機構は、第２ベール支持部材に連動して第１位置と第２位置とを取り得るように第２アーム部に配置された第１トグルばね機構と、円筒部の後面に第１位置と第２位置とを取り得るように配置され、第１トグルばね機構を第１位置と第２位置とに保持するための第２トグルばね機構とを有し、第２トグルばね機構の一部が回転部材の係止部に接触する。この場合には、ベールアームは、２重のトグルばね機構によって糸巻取姿勢及び糸開放姿勢に所定の力で保持される。このため、各機構の保持位置及び保持力をそれぞれ別個に調整することにより、多様な操作フィーリングを得ることができる。
【００１４】
発明６に係るスピニングリールは、発明５に記載のリールにおいて、第１トグルばね機構は、一端が第２ベール支持部材に係止され、他端が第２アーム部に沿って延びる第１部材と、第１部材の他端側が移動自在に案内されるとともに第２アーム部に一端側と他端側との間で揺動自在に取り付けられた第２部材と、第１部材と第２部材を離反する方向に付勢する第１ばねとを有し、第２トグルばね機構は、揺動する第２部材の他端を係止する揺動係止部と回転係止部に接触可能な接触部とを有しロータ回転平面と平行な面内で揺動自在に円筒部の後面に取り付けられた接触部材と、一端が接触部材に係止された第３部材と、第３部材の他端側が移動自在に案内されるとともに円筒部の後面に揺動自在に取り付けられた第４部材と、第３部材と第４部材とを離反する方向に付勢する第２ばねとを有し、接触部材の接触部は、第１及び第２トグルばね機構が第１位置に位置しているとき回転係止部に接触する。
【００１５】
この場合には、第２アーム部に沿って延びる第１部材が第１ばねによって一端側に付勢されている。第１部材は第２部材に移動自在に案内されており、第２部材は揺動する。第２部材が一方側に揺動した状態で第１部材が第１ばねにより付勢され、これにより第１トグルばね機構は第１位置に保持される。第２部材が揺動すると、第２部材の他端に係止された接触部材がロータ回転平面と平行な面内で一方向に揺動して第４部材も一方側に揺動する。第４部材が一方側に揺動した状態で第３部材が第２ばねにより付勢され、これにより第２トグルばね機構は第１位置に保持される。この第１位置に保持された状態では接触部材の接触部が回転部材の回転係止部に接触して回転部材を介してロータが回転可能になる。一方、第２部材が逆に他方側に揺動し、第１部材が第１ばねにより付勢された状態では、第１トグルばね機構は第２位置に保持される。第２部材が他方側に揺動すると、接触部材が他方向に揺動して第４部材も他方側に揺動する。そして第４部材が他方側に揺動した状態で第３部材が第２ばねにより付勢され、これにより第２トグルばね機構は第２位置に保持される。この第２位置に保持された状態で接触部材の接触部が回転係止部から離脱して逆転禁止状態の有無に係わらずロータは回転自在になる。ここでは、簡単な機構で２つのトグルばね機構を構成できる。
【００１６】
発明７に係るスピニングリールは、発明１から６のいずれかに記載のリールにおいて、ベールアームが糸開放姿勢にあるとき、ロータの回転に連動してベールアームを糸巻取姿勢に復帰させるベール反転機構をさらに備える。この場合には、ベールアームの糸開放姿勢から糸巻き取り姿勢への反転動作がハンドルを回してロータを回転させることで自動的に行われる。このため、キャスティング時やサミング時にロータの逆転禁止状態を無効にしてもロータを回転させるだけで簡単に元の逆転禁止状態に戻せる。
【００１７】
発明８に係るスピニングリールは、１から７のいずれかに記載のリールにおいて、ベールアームが糸開放姿勢に位置したとき、ロータを制動するロータ制動機構をさらに備える。この場合には、べールアームを糸開放姿勢にして逆転禁止状態が無効になってもロータが制動されるので、ロータが勝手に回転しない。しかもロータが制動されているだけでロックされているわけではないので、ロータを手で回せば簡単に回すことができる。このため、キャスティング時やサミング時に一度最適な回転位相にロータをセットすればその回転位相を維持できるとともに、セットされた位相から別の位相に簡単に回すことができ、ロータの回転位相を自由に調整できる。
【００１８】
発明９に係るスピニングリールは、発明１から８のいずれかに記載のリールにおいて、逆転防止機構は、ロータ駆動機構に回転不能に連結された内輪とリール本体に固定された外輪と内輪と外輪との間に両者に接触可能に配置された複数のローラとを有するローラ型のワンウェイクラッチと、ワンウェイクラッチを作動状態と非作動状態とに切り換える切換部材とを有する。この場合には、逆転防止機構がローラ型のワンウェイクラッチで構成されるので、逆転禁止状態での遊びが少なくなり、逆転禁止時の操作フィーリングが向上する。
【００１９】
【発明の実施の形態】
〔全体構成〕
図１に示す本発明の一実施形態によるスピニングリールは、ハンドル１を備えたリール本体２と、ベールアーム２５を有しリール本体２の前部に回転自在に支持されたロータ３と、ロータ３の前部に配置され釣り糸を釣り竿に沿った軸回りに巻き取るためのスプール４とを備えている。
【００２０】
リール本体２はボディ２ａを有しており、その上部にはスピニングリールを釣り竿に取り付けるための取付部２ｂが形成されている。ボディ２ａの前部には環状凹部２ｃが形成されている。ボディ２ａの内部には、ロータ３を回転させるためのロータ駆動機構５と、オシレーティング機構６と、ベール反転機構７と、ロータ制動機構８と、逆転防止機構９と、操作機構１０と、逆転禁止無効機構１３とが設けられている。オシレーティング機構６は、スプール４を回転軸心Ｘに沿って前後方向に移動させてスプール４に釣り糸を均一に巻き取るための機構である。ベール反転機構７は、ロータ３の回転に応じてベールアーム２５を反転させる機構である。ロータ制動機構８は、ロータ３の回転を制動する機構である。逆転防止機構９は、ロータ３の逆転（糸繰り出し方向の回転）を禁止する逆転禁止状態と逆転を許可する逆転許可状態を取り得る機構である。操作機構１０は、逆転防止機構９をいずれかの状態に操作するための機構である。逆転禁止無効機構１３は、逆転防止機構９の逆転禁止状態を無効にする機構である。
【００２１】
ロータ駆動機構５は、ハンドル１が固定されたハンドル軸１ａとともに回転するフェースギア１１と、このフェースギア１１に噛み合うピニオンギア１２とを有している。ピニオンギア１２は筒状に形成されており、その前部１２ａはロータ３の中心部を貫通してスプール４側に延びている。そして、その先端にはねじ部が形成されている。ピニオンギア１２は軸受によりリール本体２に回転自在に支持されており、前部１２ａに逆転禁止無効機構１３が回転不能に装着されているとともにロータ３が回転自在に支持されている。このような構造では、ハンドル１によってフェースギア１１及びピニオンギア１２が回転させられ、このピニオンギア１２に装着された逆転禁止無効機構１３を介してロータ３が回転する。
【００２２】
オシレーティング機構６は、ドラグ機構９０を介してスプール４の中心部が連結されたスプール軸１５を前後方向に移動させてスプール４を同方向に移動させるための機構である。
〔ロータの構成〕
ロータ３は、円筒部２０と、円筒部２０の側方に互いに対向して設けられた第１アーム部２１及び第２アーム部２２と、両アーム部２１，２２の先端に糸巻取姿勢と糸開放姿勢とに揺動自在に装着されたベールアーム２５とを有している。円筒部２０と両アーム部２１，２２とは一体成形されている。
【００２３】
円筒部２０の前部には前壁２３が形成されており、前壁２３の中央部にはボス２３ａが形成されている。ボス２３ａの中心部には貫通孔が形成されており、この貫通孔をピニオンギア１２の前部１２ａ及びスプール軸１５が貫通している。前壁２３の前方側にはナット２４が配置されており、このナット２４がピニオンギア１２の先端ねじ部に螺合している。ナット２４の内周部にはスプール軸１５を支持する軸受が配置されている。
【００２４】
ベールアーム２５は、第１及び第２アーム部２１，２２の先端の内周側にそれぞれ揺動自在に取りつけられた第１及び第２ベール支持部材３０，３２と、ラインローラ３１と、ベール３３とを有している。ラインローラ３１は、釣り糸をスプール４に案内するためのものであり、第１ベール支持部材３０の先端に回転自在に装着されている。ベール３３は、第１ベール支持部材３０先端のラインローラ３１と第２ベール支持部材３２との間に設けられている。
【００２５】
なお、ベールアーム２５は、回転軸心Ｘに対して直交せずに所定角度傾いた揺動軸Ｍを中心に揺動し、釣り糸をスプール４外周に導く糸巻取姿勢（図２参照）と、スプール４から釣り糸が繰り出すのを許す糸開放姿勢（図３参照）とをとり得る。
〔ベール反転機構の構成〕
図２〜図５に示すように、ベール反転機構７は、ロータ３の第１アーム部２１内に配置された第１トグルばね機構４０と、ロータ３の後端に配置された第２トグルばね機構４１と、リール本体２の環状凹部２ｃに形成された切換突起４２とを有している。
【００２６】
第１トグルばね機構４０は、第１アーム部２１に沿って前後方向に延びる第１ロッド４５と、第１ロッド４５の後端部が摺動自在に挿入された第１筒状部材４６と、第１ロッド４５を前方側に付勢する第１ばね４７とを有している。第１ロッド４５は、図４に示すように、その先端部４５ａが内周側に折曲げられ、第１ベール支持部材３０に形成された孔３０ａに係合している。また第１ロッド４５には鍔部４５ｂが形成されており、第１ばね４７の前端がこの鍔部４５ｂに当接している。第１筒状部材４６は図２に示す揺動中心Ａを中心に第１アーム部２１に揺動自在に取り付けられている。一方、第１アーム部２１の前端部にはストッパー部２１ａが形成されている。
【００２７】
このような構成の第１トグルばね機構４０は、図２に示すような第１位置と、図３に示すような第２位置とをとることが可能である。第１位置は、ベールアーム２５の糸巻取姿勢に対応し、第２位置はベールアーム２５の糸開放姿勢に対応している。また、図３に示す第２位置は、この第１トグルばね機構４０の死点とほぼ同じ位置である。
【００２８】
第２トグルばね機構４１は、図５に示すように、ロータ３の円筒部２０と第１アーム部２１との連結部分の後面にロータ回転平面と平行な面内で揺動自在に取り付けられた戻しレバー５０と、一端がこの戻しレバー５０に係止された第２筒状部材５１と、第２筒状部材５１に収納され一端がロータ３に揺動自在に取り付けられた第２ロッド５２と、第２筒状部材５１を戻しレバー５０側に付勢する第２ばね５３とを有している。なお、第２筒状部材５１及び第２ばね５３は、ロータ回転平面と平行な面内で移動する。
【００２９】
戻しレバー５０は、第１トグルばね機構４０の第１筒状部材４６の後端と係止する係止用切欠き５０ａと、第２筒状部材係止用の孔５０ｂと、ロータ回転軸芯側に突出可能であり先端が回転方向に湾曲した突出部５０ｃとを有している。係止用切欠き５０ａと第１筒状部材４６の後部との間には隙間が形成されている。このような第２トグルばね機構４１の構成では、第２筒状部材５１及び第２ばね５３によって、戻しレバー５０は図５の二点鎖線で示す第１位置と実線で示す第２位置とをとり得る。第１位置は第１トグルばね機構４０の第１位置及びベールアーム２５の糸巻取姿勢に対応し、第２位置は第１トグルばね機構４０の第２位置及びベールアーム２５の糸開放姿勢に対応している。
【００３０】
なお、戻しレバー５０の係止用切欠き５０ａと第１筒状部材４６の後端との係止部には隙間が形成されているので、両者の位置が切り換えられた際に両者による衝突音が発生し、これにより、位置が切り換えられたことを操作者に報知することができる。
ボディ２ａの環状凹部２ｃに形成された切換突起４２は、図５に示すように、外周側に凸に湾曲している。この切換突起４２は、第２トグルばね機構４１の戻しレバー５０がロータ３とともに回転してきた際に、戻しレバー５０の突出部５０ｃに当接可能である。なお、切換突起４２は、戻しレバー５０の突出部５０ｃと滑らかに衝突し、戻しレバー５０のスムーズな回動を促すように曲面形状となっている。
【００３１】
〔ロータ制動機構の構成〕
ロータ制動機構８は、ベールアーム２５が糸開放姿勢にあるとき、ロータ３を制動する機構である。ロータ制動機構８は、図５及び図６に示すように、前述した戻しレバー５０の突出部５０ｃと、ベールアーム２５が糸開放姿勢にあるときロータ回転軸心側に突出する突出部５０ｃに接触可能な制動部材５５とを有している。
【００３２】
制動部材５５は、例えばＮＢＲ，シリコンゴム等の弾性体製の環状部材である。制動部材５５は、ボディ２ａの環状凹部２ｃに取り付けられ、切換突起４２形成部分の内側を迂回してロータ回転方向に沿って実質的にリング状に配置されている。制動部材５５の断面形状は、例えば円形状であり、ベールアーム２５が糸開放姿勢に位置したときに突出部５０ｃとの接触により弾性変形する。ここで、制動部材５５をほぼロータ回転方向に沿ってリング状に設けることで、ロータ３がどのような回転位相で停止していてもベールアーム２５を糸開放姿勢に反転させるとロータ３が常に制動される。
【００３３】
〔逆転防止機構及び操作機構の構成〕
逆転防止機構９は、ロータ３の円筒部２０の内部に配置されている。逆転防止機構９は、操作機構１０により逆転禁止状態と逆転許可状態とをとり得る。逆転防止機構９は、図７に示すように、リール本体２のボディ２ａの先端に固定されたクラッチケース６１と、クラッチケース６１内に収納された内輪遊転型のワンウェイクラッチ６２とを有している。クラッチケース６１は、有底円筒形状のケース本体６１ａと、ケース本体６１ａを封止するクラッチカバー６１ｂとを有している。
【００３４】
ワンウェイクラッチ６２は、ケース本体６１ａに回転不能に装着された外輪６２ａと、ピニオンギア１２の外周に回転不能に装着された内輪６２ｂと、複数のローラ６２ｃと、複数のローラ６２ｃを保持するリテーナ６２ｄとを有している。
外輪６２ａの内面には等角度間隔でローラ６２ｃをくい込ますための傾斜面６２ｅが形成されている。
【００３５】
複数のローラ６２ｃは外輪６２ａと内輪６２ｂとの間に配置され、両輪６２ａ，６２ｂにくい込む作動位置と両輪６２ａ，６２ｂの間で遊転する非作動位置とを取り得る。リテーナ６２ｄは、ほぼ円筒状の部材であり、ケース本体６１ａの内部の外輪６２ａより内側で回転自在に支持されている。リテーナ６２ｄには、円周方向に等角度間隔で複数の収納用切欠きとばね収納部と（ともに図示せず）が形成されており、この切欠きのそれぞれにローラ６２ｃが回転自在に収納されている。このリテーナ６２ｄが回動することで複数のローラ６２ｃが作動位置と非作動位置とを取り得る。ばね収納部には各ローラ６２ｃを作動側に付勢するばね部材が収納されている。
【００３６】
操作機構１０は、図１に示すように、先端がワンウェイクラッチ６２に係合するカム軸６３と、カム軸６３の基端に回転不能に装着された操作レバー６４と、カム軸６３を逆転禁止位置と逆転許可位置とに保持するためのトグルばね機構６５とを有している。
カム軸６３は、逆転禁止位置と逆転許可位置との間で回動自在にリール本体２に支持されている。カム軸６３は、スプール軸１５の上方にスプール軸１５と平行に配置されており、先端部がリテーナ６２ｄに係合してリテーナ６２ｄを回動させる。カム軸６３の途中にトグルばね機構６５の先端が係止されている。
【００３７】
〔逆転禁止無効機構の構成〕
逆転禁止無効機構１３は、図７に示すように、ピニオンギア１２に回転不能に装着された回転部材７０と、第２アーム部２２に設けられロータ３と回転部材７０とを連結・離脱するための連動機構７１とを有している。
回転部材７０は、筒部７０ａと、筒部７０ａの一端に筒部７０ａと一端で形成された前壁部７０ｂとを有している。筒部７０ａの端部には、回転係止部７０ｃが形成されている。回転係止部７０ｃは、図５に示すように、円周方向に等間隔で軸方向に突出して形成されている。回転係止部７０ｃは、肉厚が図５の時計回りで徐々に薄くなっている。前壁部７０ｂは、図７に示すように、内周部がワンウェイクラッチ６２の内輪６２ｂに回転不能に連結されている。これにより、回転部材７０は、ピニオンギア１２に回転不能に装着される。
【００３８】
連動機構７１は、ベールアーム２５が糸巻取姿勢にあるとき回転係止部７０ｃに接触する接触位置に、糸開放姿勢にあるとき回転係止部７０ｃから離脱した離脱位置にベールアーム２５に連動して移動する機構である。この接触位置に連動機構７１が配置されると回転部材７０の糸巻取方向の回転に連動してロータ３が回転する。
【００３９】
連動機構７１は、図５，図８〜図１１に示すように、ロータ３の第２アーム部２２内に配置された第１トグルばね機構７２と、ロータ３の後端に配置された第２トグルばね機構７３と、ロータ３の円筒部２０と第２アーム部２２との連結部分の後面にロータ回転平面と平行な面内で揺動自在に取り付けられた接触レバー７４とを有している。
【００４０】
第１トグルばね機構７２は、第２アーム部２２に沿って前後方向に延びる第１ロッド７５と、第１ロッド７５の後端部が摺動自在に挿入された第１筒状部材７６と、第１ロッド７５を前方側に付勢する第１ばね７７とを有している。第１ロッド７５は、図１０に示すように、その先端部７５ａが内周側に折曲げられ、第２ベール支持部材３２に形成された孔３２ａに係合している。また第１ロッド７５には鍔部７５ｂが形成されており、第１ばね７７の前端がこの鍔部７５ｂに当接している。第１筒状部材７６は図８に示す揺動中心Ｂを中心に第２アーム部２２に揺動自在に取り付けられている。一方、第２アーム部２２の前端部にはストッパー部２２ａが形成されている。
【００４１】
このような構成の第１トグルばね機構７２は、図８に示すような第１位置と、図９に示すような第２位置とをとることが可能である。第１位置は、ベールアーム２５の糸巻取姿勢に対応し、第２位置はベールアーム２５の糸開放姿勢に対応している。また、図９に示す第２位置は、この第１トグルばね機構７２の死点とほぼ同じ位置である。
【００４２】
第２トグルばね機構７３は、図５に示すように、一端が接触レバー７４に係止された第２筒状部材８１と、第２筒状部材８１に収納され一端がロータ３に揺動自在に取り付けられた第２ロッド８２と、第２筒状部材８１を接触レバー７４側に付勢する第２ばね８３とを有している。なお、第２筒状部材８１及び第２ばね８３は、ロータ回転平面と平行な面内で移動する。
【００４３】
接触レバー７４は、第１トグルばね機構７２の第１筒状部材７６の後端と係止する係止用切欠き７４ａと、第２筒状部材係止用の孔７４ｂと、ロータ回転方向に突出して回転係止部７０ｃに接触可能な接触部７４ｃとを有している。係止用切欠き７４ａと第１筒状部材７６の後部との間には隙間が形成されている。
このような構成では、第２筒状部材８１及び第２ばね８３によって、接触レバー７４は図５の二点鎖線で示す第１位置と実線で示す第２位置とをとり得る。第１位置は第１トグルばね機構７２の第１位置及びベールアーム２５の糸巻取姿勢に対応し、第２位置は第１トグルばね機構７２の第２位置及びベールアーム２５の糸開放姿勢に対応している。したがって、ベールアーム２５が糸巻取姿勢に配置されると、接触レバー７４が第２位置に配置され、接触レバー７４の接触部７４ｃが回転部材７０の回転係止部７０ｃに接触する。この状態でハンドル１を糸巻取方向に回転させピニオンギア１２を糸巻取方向に回転させると、その回転が回転部材７０，接触レバー７４を介してロータ３に伝達されロータ３が糸巻取方向に回転する。この接触レバー７４が第１位置にあるとき、回転部材７０からの力が接触レバー７４作用しても接触レバー７４に図５時計軸回りの回転力が作用するので第２位置に復帰することはない。
【００４４】
〔スプールの構成〕
スプール４は、図１に示すように、ロータ３の第１アーム部２１と第２アーム２２との間に配置されており、スプール軸１５の先端にドラグ機構９０を介して着脱自在に装着されている。スプール４は、外周に釣り糸が巻き付けられる糸巻胴部４ａと、糸巻胴部４ａの後部に一体形成されたスカート部４ｂと、糸巻胴部４ａの前端に固定されたフランジ板４ｃとを有している。
【００４５】
ドラグ機構９０は、スプール４の内部前端面を押圧する押圧部材９１と、ドラグ力を調整するための調整つまみ９２と、押圧部材９１と調整つまみ９２との間に配置された押圧ばね９３と、押圧部材９１とスプール４との間に配置された複数のドラグ板９５とを有している。調整つまみ９２は、スプール軸１５の先端に締結されている。このドラグ機構９０では、調整つまみ９２の締め付け量を調整することで押圧部材９１のスプール４に対する押圧力を調整でき、ドラグ力を調整可能である。
【００４６】
〔リールの操作及び各機構の動作〕
釣り糸をスプール４に巻き取る際には、操作レバー６４により逆転防止機構９を逆転禁止状態にしてロータ３の逆転を禁止した状態でベールアーム２５を糸巻取姿勢とする。この場合には、ロータ３側では、第１ベール支持部材３０及び第２ベール支持部材３２は、図１，図２，図８に示すように、それぞれ前方側に起立している。この状態では、第１トグルばね機構４０，７２では、第１筒状部材４６，７６は、図２，図８に示すように、第１ばね４７，７７によって時計方向及び反時計方向にそれぞれ揺動し、第１ロッド４５，７５は進出した状態となっている。また第２トグルばね機構４１，７３では、戻しレバー５０及び接触レバー７４は図５に二点鎖線で示す第１位置にそれぞれ位置しており、この状態が第２ロッド５２，８２及び第２ばね５３，８３によって保持されている。なおこの状態では、戻しレバー５０の突出部５０ｃはロータ外周側に退避しており、ロータ３が回転しても突出部５０ｃが切換突起４２に当接することはない。また、接触レバー７４の接触部７４ｃは、回転部材７０の回転係止部７０ｃに接触しており、回転部材７０を介してロータ３が糸巻取方向に回転可能である。
【００４７】
また、逆転防止機構９側では、カム軸６３がトグルばね機構６５により逆転防止位置側に保持され、ワンウェイクラッチ６２が作動位置側に移動し、ロータ３の逆転が禁止される。
キャスティング時には、ロータ３を正転又は逆転させてラインローラ３１を釣り竿側に近づけ釣り糸を人指し指で引っ掛けやすいようにする。ロータ３を逆転させる場合には、ベールアーム２５を糸開放姿勢に反転させる。この場合には、ロータ３側では、第１ベール支持部材３０及び第２ベール支持部材３２は、図３，図９に示すように、それぞれ後方側に反転している。この状態では、第１トグルばね機構４０，７２では、第１筒状部材４６，７６は、図３，図９に示すように、第１ばね４７，７７の付勢力に抗して反時計方向及び時計方向にそれぞれ揺動し、第１ロッド４５，７５は退入した状態となっている。また第２トグルばね機構４１，７３では、戻しレバー５０及び接触レバー７４は図５に実線で示す第２位置にそれぞれ位置しており、この状態が第２ロッド５２，８２及び第２ばね５３，８３によって保持されている。なおこの状態では、戻しレバー５０の突出部５０ｃはロータ内部に進出しており、その先端が制動部材５５に当接してロータ３が制動される。また、ロータ３が糸巻取方向に回転すると突出部５０ｃが切換突起４２に当接して戻しレバー５０が蹴られベールアーム２５が糸巻取姿勢に復帰する。また、接触レバー７４の接触部７４ｃは、回転部材７０の回転係止部７０ｃから離脱し、ロータ３が逆転防止機構９により逆転禁止状態になっていてもロータ３が両方向に回転自在になる。しかし、ロータ制動機構８により制動されているので自由に回転することはない。
【００４８】
また、キャスティング時とサミング時とでロータ３の位相を逆転により変更する場合にもキャスティング前の操作と同様にベールアーム２５を糸巻取姿勢にすればよい。
〔他の実施形態〕
（ａ）前記実施形態では、連動機構を２つのトグルばね機構を構成したが、本発明の連動機構は、トグルばね機構に限定されるものではない。
【００４９】
（ｂ）前記実施形態では、ロータとピニオンギアとの間に回転部材を設けて逆転禁止状態を無効にしたが、ベールアームの揺動に連動してカム軸やリテーナを反転させて逆転禁止状態を無効にしてもよい。
【００５０】
【発明の効果】
本発明によれば、キャスティング時やサミング時にベールアームを糸開放姿勢にすると、逆転防止機構が逆転禁止状態になっているときでもベールアームの糸開放姿勢への移動に連動して逆転禁止状態が無効になり、ロータが糸巻取方向だけでなくそれと反対の方向に逆転可能になる。このため、ベールアームを糸開放姿勢にしてキャスティングやサミングを行うときにロータを簡単に逆転させることができる。
【図面の簡単な説明】
【図１】本発明の一実施形態によるスピニングリールの側面断面図。
【図２】糸巻取姿勢における第１アーム部内部の正面図。
【図３】糸開放姿勢における第１アーム部内部の正面図。
【図４】第１トグルばね機構の正面部分図。
【図５】ロータの底面断面図。
【図６】ロータ制動機構の拡大図。
【図７】スピニングリールの前部断面図。
【図８】糸巻取姿勢における第２アーム部内部の正面図。
【図９】糸開放姿勢における第２アーム部内部の正面図。
【図１０】第１トグルばね機構の正面部分図
【符号の説明】
２  リール本体
３  ロータ
４  スプール
７  ベール反転機構
８  ロータ制動機構
９  逆転防止機構
１０  操作機構
１３  逆転禁止無効機構
２２  第２アーム部
２５  ベールアーム
６２  ワンウェイクラッチ
７０  回転部材
７０ｃ  回転係止部
７１  連動機構
７２  第１トグルばね機構
７３  第２トグルばね機構
７４  接触レバー
７４ａ  係止用切欠き
７４ｃ  接触部
７５  第１ロッド
７６  第１筒状部材
７７  第１ばね
８１  第２筒状部材
８２  第２ロッド
８３  第２ばね
【図１】
0003711312.tif 000002
【図２】
0003711312.tif 000003
【図３】
0003711312.tif 000004
【図４】
0003711312.tif 000005
【図５】
0003711312.tif 000006
【図６】
0003711312.tif 000007
【図７】
0003711312.tif 000008
【図８】
0003711312.tif 000009
【図９】
0003711312.tif 000010
【図１０】
0003711312.tif 000011